(57)【要約】【課題】保冷効果に優れ、廃棄時における環境負荷も軽減することができる保冷体、及び、係る保冷体を用いた保冷用具を提供する。【解決手段】（Ａ）保冷体、及び、（Ｂ）保冷体が保持される装着部材、から成る保冷用具であって、保冷体は、ケイ酸カルシウムとバーミキュライトとが混合されて成り、少なくともバーミキュライトに、液相をなす水、固相をなす水、若しくは、液相及び固相をなす水が含まれている。保冷体は、保冷効果に優れ、廃棄時における環境負荷も軽減することができる。【選択図】  図１
2008302050.tif 000002
【特許請求の範囲】
【請求項１】
ケイ酸カルシウムとバーミキュライトとが混合されて成り、少なくともバーミキュライトに、液相をなす水、固相をなす水、若しくは、液相及び固相をなす水が含まれていることを特徴とする保冷体。
【請求項２】
薬剤が含まれていることを特徴とする請求項１に記載の保冷体。
【請求項３】
薬剤は抗菌剤であることを特徴とする請求項２に記載の保冷体。
【請求項４】
（Ａ）保冷体、及び、
（Ｂ）保冷体が保持される装着部材、
から成る保冷用具であって、
保冷体は、ケイ酸カルシウムとバーミキュライトとが混合されて成り、少なくともバーミキュライトに、液相をなす水、固相をなす水、若しくは、液相及び固相をなす水が含まれていることを特徴とする保冷用具。
【請求項５】
装着部材は帽子内に装着されることを特徴とする請求項４に記載の保冷用具。
【請求項６】
装着部材は衣服状であることを特徴とする請求項４に記載の保冷用具。
【請求項７】
装着部材は帯体状であることを特徴とする請求項４に記載の保冷用具。
【請求項８】
装着部材は頭部に装着されることを特徴とする請求項７に記載の保冷用具。
【請求項９】
装着部材は首部に装着されることを特徴とする請求項７に記載の保冷用具。
【請求項１０】
保冷体には薬剤が含まれていることを特徴とする請求項４乃至請求項９のいずれか１項に記載の保冷用具。
【請求項１１】
薬剤は抗菌剤であることを特徴とする請求項１０に記載の保冷用具。
【発明の詳細な説明】
【技術分野】
【０００１】
本発明は、保冷体、及び、保冷体を用いた保冷用具に関し、例えば、人間や動物の身体の保冷に用いて好適な保冷体、及び、保冷体を用いた保冷用具に関する。
【背景技術】
【０００２】
従来より、身体の保冷等を目的として、保冷体を用いた保冷用具が種々提案されている。例えば、特開２００６−２３８９１８号公報（特許文献１）には、ポリビニルアセタール系樹脂多孔質体でなる乾湿可逆性基材を、疎水性粗目ネットでなる保持材に包み込み、その保持材に、上記基材を身体の保冷箇所に臨ませるための身体装着機能を持たせてあることを特徴とする保冷具が提案されている。この保冷具は、ポリビニルアセタール系樹脂多孔質体に吸収させた水の気化熱によって身体を保冷するというものであって、身体の所定部位を保冷するのに使用される。
【０００３】
【特許文献１】特開２００６−２３８９１８号公報
【発明の開示】
【発明が解決しようとする課題】
【０００４】
しかしながら、上述した乾湿可逆性基材は合成樹脂材料から成るので、製造等に相応のコストがかかるし、廃棄時における環境負荷も軽視できない。
【０００５】
従って、本発明の目的は、保冷効果に優れ、廃棄時における環境負荷も軽減することができる保冷体、及び、係る保冷体を用いた保冷用具を提供することにある。
【課題を解決するための手段】
【０００６】
上記の目的を達成するための本発明の保冷体は、ケイ酸カルシウムとバーミキュライトとが混合されて成り、少なくともバーミキュライトに、液相をなす水、固相をなす水、若しくは、液相及び固相をなす水が含まれていることを特徴とする。
【０００７】
上記の目的を達成するための本発明の保冷用具は、
（Ａ）保冷体、及び、
（Ｂ）保冷体が保持される装着部材、
から成る保冷用具であって、
保冷体は、ケイ酸カルシウムとバーミキュライトとが混合されて成り、少なくともバーミキュライトに、液相をなす水、固相をなす水、若しくは、液相及び固相をなす水が含まれていることを特徴とする。
【０００８】
本発明の保冷体、及び、本発明の保冷用具を構成する保冷体（以下、これらを単に、本発明の保冷体等と呼ぶ場合がある）にあっては、保冷体に含まれる水の潜熱、より具体的には、固相をなす水（氷）が液化する際の溶解熱や液相をなす水の気化熱により保冷効果を奏する。本発明の保冷体等においては、保冷体の組成にもよるが、保冷体の乾燥重量の数十パーセント程度の水を含むことができる。本発明の保冷体等にあっては、多くの水を含ませた状態で用いることができるので、長時間保冷効果を維持することができる。
【０００９】
保冷体の形状や寸法は、特に限定するものではない。例えば、保冷体の形状を板状とする場合には、厚さが１ｍｍ程度の板状（シート状）であってもよいし、厚さ数ｍｍ〜十数ｍｍ程度の板状であってもよい。保冷体の形状や寸法は、保冷体の用途に応じて適宜設定すればよい。水を含む前の保冷体は、ケイ酸カルシウムとバーミキュライトとを混ぜて成る組成物から成る生シートを、例えば、抄造成形、押出し成形、プレス成形等の方法により形成し、オートクレーブ処理等をすることにより得ることができる。尚、上述した組成物には、炭酸マグネシウム、セメント等の親水性材料、パルプ、セルロース繊維等の補強用材料といった他の材料が、適宜配合されていてもよい。
【００１０】
ここで、バーミキュライトとは、ＳｉＯ2、ＭｇＯ、Ａｌ2Ｏ2を主成分とする薄片状の天然の鉱物である。このバーミキュライトは、通常１０〜２０％程度の水を含んでおり、高温（層間水が脱離し始める約３２０゜Ｃから１０００゜Ｃ）での急激な加熱により脱水され著しく膨張する。本発明の保冷体等にあっては未膨張のバーミキュライトを用いてもよいし、膨張したバーミキュライトを用いてもよい。更には、これらを併せて用いてもよい。上述した組成物を構成するバーミキュライトの粒径は、保冷体の仕様に応じて適宜設定すればよく、例えば０．５ｍｍ以下の粒径のバーミキュライトを用いることができる。上述した組成物へのバーミキュライトの配合は、未膨張のバーミキュライトを用いる場合には、上述した組成物のうち固形分が占める質量の５〜７０質量％、好ましくは１０〜５０質量％とすればよい。この場合において、更に、膨張バーミキュライトを２．５〜２０質量％程度配合してもよい。
【００１１】
上述した組成物から成る生シートがオートクレーブ処理されると、ケイ酸カルシウムはトバモライト等の結晶質ケイ酸カルシウム水和物となりマトリックスを構成する。これにより、バーミキュライトは、結晶質ケイ酸カルシウム水和物によって保持される。本発明の保冷体等にあっては「ケイ酸カルシウム」には「ケイ酸カルシウム水和物」も包含される。尚、組成物にパルプ、セルロース繊維等の補強用材料といった他の材料が配合された場合には、結晶質ケイ酸カルシウム水和物と他の材料とによってマトリックスが構成される。オートクレーブ処理によって得られた本発明の保冷体は、水に浸漬等されると水を吸い上げる。本発明の保冷体が吸い上げた水は主にバーミキュライトに含まれるが、他の部分にも含まれ得る。上述したように、保冷体は、保冷体の乾燥重量の数十パーセント程度の水を含むことができる。予め保冷体が吸い上げた水の量にもよるが、本発明の保冷体等を身体に装着したとき、湿った保冷体が被服を濡らしたり、肌に付着することによる不快感が生じ難い。また、液相の水を含んだ本発明の保冷体等を冷却することにより、固相をなす水（氷）を含んだ保冷体を得ることができる。本発明者の実験によれば、保冷体を−５０゜Ｃ程度まで冷却しても、水が氷となる際の体積膨張によって保冷体が変形したり破損したりすることはなかった。尚、水に塩化ナトリウム等を加えると水から氷に転移する温度が低下し、水の固化を遅らせることができる。保冷体の水が塩化ナトリウム等を含んだ構成とすることもできる。
【００１２】
上述した好ましい構成を含む本発明の保冷体等にあっては、薬剤が含まれている構成とすることができる。水を含む前の保冷体が薬剤を含んでいる態様であってもよいし、保冷体に含まれる水が薬剤を含んでいる態様であってもよい。薬剤として、抗菌剤、清涼剤、芳香剤、殺菌剤、消臭剤を例示することができるが、中でも、薬剤は抗菌性の薬剤である構成とすることができる。これにより、保冷体やその周辺に抗菌効果が及び、保冷体周辺の環境を好適に保つことができる。抗菌剤として、周知の無機系抗菌剤や有機系抗菌剤を適宜選択して用いることができる。例えば、無機系抗菌剤として安定化二酸化塩素、二酸化塩素、次亜塩素酸ナトリウムや、塩化銅、硝酸銅、塩化銀、硝酸銀等の金属イオン化合物を挙げることができ、有機系抗菌剤として、化学合成した抗菌剤の他、杉の精油、キトサン、ヒノキチオール、わさびエキス、辛子エキス、木酢等、天然由来の抗菌剤を挙げることができる。これらの抗菌剤の中でも、抗菌剤として安定化二酸化塩素を用いた構成は、継続的な効果を得るのに好適である。即ち、安定化二酸化塩素は、重炭酸ソ−ダ等を安定化剤として用いて二酸化塩素を水中に安定に溶解保持させたものであり、徐々に二酸化塩素が発生するので継続的な効果を得ることができる。水を含む前の保冷体をこれらの薬剤を含む水溶液等の溶液に浸漬したり、噴霧する等の周知の方法により、容易に保冷体に薬剤を含ませることができる。
【００１３】
本発明の保冷用具を構成する装着部材は、保冷用具の用途に応じて適宜好適な形態とすればよい。尚、装着部材に保持される保冷体の形状、個数、寸法についても、保冷用具の用途に応じて適宜好適な構成とすればよい。装着部材を構成する材料として、不織布、天然繊維、合成繊維等から成る布材等、広く周知の材料を用いることができる。尚、装着部材は、保冷体の表面の少なくとも一部が空気に触れた状態で保持することが好ましい。ここで、装着部材は帽子内に装着される構成とすることができる。頭部を覆う帽子内に保冷用具を装着することにより、蒸れ易い帽子内を好適な環境に保つことができる。あるいは又、装着部材は衣服状である構成とすることもできる。例えば、装着部材は、オーバー、ジャンパー、ベスト等の上着状とすることができるし、あるいは又、ズボン状とすることもできる。衣服状の装着部材は、既存の衣服の下に装着される形態であってもよいし、装着部材自体が衣服である形態であってもよい。例えば、装着部材自体が、作業服、レジャーベスト、ゴルフベスト、防火服等である構成とすることができる。また、装着部材は帯体状である構成とすることもできるし、この場合において、頭部に装着される形態、首部に装着される形態、更には、腕や手首といった上肢部や、腿や足部といった下肢部に装着される形態等とすることもできる。尚、帯体状の装着部材は、閉じた環状を成していてもよい。例えば、伸縮性のある布材等から帯体状の装着部材を構成し、これを閉じた環状としてもよい。尚、本発明の保冷用具にあっては、長時間身体に装着し保冷効果が低下した場合であっても、身体から離してしばらくの間外気に晒すことにより、比較的短い時間で保冷体の温度が低下し、ある程度、保冷効果を回復させることができる。
【００１４】
本発明の保冷用具を構成する装着部材においては、保冷体は交換可能に保持される形態とすることができる。この形態にあっては、保冷体の保冷効果が低下した際に、随時、新たな保冷体に交換し、容易に保冷効果を回復させることができる利点も有する。装着部材に保冷体を保持する方法や構造は特に限定するものではなく、広く周知の方法や構造を適用することができる。例えば、装着部材にポケット状の収納部を形成し、その収納部に保冷体が収納されて保持される構造や、対を成す嵌合部材のうち一方の嵌合部材を保冷体に取付け、他方の嵌合部材を装着部材に取付け、それらの嵌合部材を嵌合させることにより保冷体が保持される構造を挙げることができる。上述した嵌合部材として、ボタン、バネホック、スナップボタン、面ファスナー等広く周知の嵌合部材を用いることができる。尚、保冷体は装着部材に間接的に保持される構成であってもよい。例えば、嵌合部材が取付られた収納袋の中に保冷体を収納し、その収納袋の嵌合部材と装着部材の嵌合部材とが嵌合されてもよい。
【００１５】
保冷体を構成する材料にもよるが、本発明の保冷体を土壌中に埋めると徐々に風化し、最終的には土に還る。また、保冷体を燃やすと灰となるが、その成分は鉱物材料が主であり土壌に対し馴染みやすい。従って、本発明の保冷体は、廃棄時における環境負荷が少ないという特徴も備えている。
【発明の効果】
【００１６】
本発明の保冷体にあっては、多くの水を含ませた状態で用いることができるので、長時間保冷効果を維持することができる。保冷体に含まれる水が固相をなす場合には、保冷体は、先ず、氷の融解熱による保冷効果を奏し、時間を経て水が液化した後は、水の気化熱によって保冷効果を奏する。従って、本発明の保冷体及び本発明の保冷用具によれば、長時間保冷効果を維持することができる。また、本発明の保冷体を構成する材料は、天然の鉱物材料であるバーミキュライトとケイ酸カルシウム等から構成されているので、製造が容易であり、廃棄時における環境負荷も少ないといった利点を備えている。更には、本発明の保冷体は、天然の鉱物材料を主成分としているので、合成樹脂材料から作製された保冷体よりも耐熱性に優れている。従って、例えば消防用の衣服内の保冷用途等、耐熱性が要求される用途にも適用できる利点を有する。
【発明を実施するための最良の形態】
【００１７】
以下、図面を参照して、実施例に基づき本発明を説明する。
【実施例１】
【００１８】
実施例１は、本発明の保冷体、及び、本発明の保冷用具に用いられる保冷体に関する。
【００１９】
図１の（Ａ）〜（Ｄ）は、実施例１の保冷体の製造方法を説明するための模式的な工程図である。以下、実施例１の保冷体の製造方法について説明する。後述するように、実施例１の保冷体１は、薬剤の水溶液１０を含んでいる。薬剤は、安定化二酸化塩素、杉の精油等の抗菌剤であり、保冷体１の用途に応じて適宜選択される。
【００２０】
実施例１において、保冷体１を、以下の手順により製造した。先ず、粒径０．５ｍｍ以下の未膨張バーミキュライトをケイ酸カルシウムとセメント等の親水性基材に配合し、未膨張バーミキュライトの配合量が約４０質量％である組成物を得る。尚、補強用材料としてパルプを約６質量％配合した。
【００２１】
未膨張バーミキュライトは、親水性基材に配合するに先立ち、１０５〜２００゜Ｃの飽和蒸気圧での水蒸気処理等の活性化処理を施したが、これに限るものではない。活性化処理されていない未膨張バーミキュライトを水熱反応前に配合しても、その後のオートクレーブ処理による水熱反応により、結果的に活性化処理が成される。
【００２２】
上述した組成物と水を混合してスラリーとした後、抄造成形によりこの組成物から成る生シートを形成し、次いで、オートクレーブ処理することにより、板状に加工する。その後、図１の（Ａ）に示すように、所定の形状、寸法に加工する。これにより、図１の（Ｂ）に示すように、水を含む前の保冷体１を得ることができる。
【００２３】
次いで、図１の（Ｃ）に示すように、所定の濃度の薬剤（抗菌剤）を含む水溶液１０を調製し、水溶液１０を満たした槽１１に、水を含む前の保冷体１を浸漬した。薬剤の濃度は、保冷体１の用途に応じて好適に設定すればよい。
【００２４】
これにより、薬剤を含む水が保冷体１に吸い上げられる。具体的には、保冷体１の乾燥重量の約５０〜６０％程度の水が、保冷体１に吸い上げられる。尚、例えば、保冷体１に水溶液１０を噴霧等して吸い上げさせてもよい。これにより、少なくともバーミキュライトに液相をなす水が含まれた状態の保冷体１を得ることができる。
【００２５】
必要な場合には、次いで、図１の（Ｄ）に示すように、冷凍庫１２内に保冷体１を搬入する等といった方法により、保冷体１を冷却してもよい。保冷体１が水を吸い上げた状態で充分冷却されると、吸い上げられた水は液相から固相に変化する。これにより、固相をなす水（氷）を含んだ保冷体１を得ることができる。水が氷となる際の体積膨張によって保冷体１が破損することはない。
【００２６】
液相をなす水を含んだ保冷体１は、水の気化熱によって保冷効果を奏する。保冷体１にあっては、多くの水を含ませた状態で用いることができるので、長時間保冷効果を維持することができる。また、固相をなす水（氷）を含んだ保冷体１は、先ず、氷の融解熱による保冷効果を奏し、時間を経て氷が液化した後は、水の気化熱によって保冷効果を奏する。従って、より一層長時間保冷効果を維持することができる。また、保冷体１及びその周辺に抗菌効果が及び、周囲の環境を好適に保つことができる。
【００２７】
尚、図１の（Ｃ）〜（Ｄ）においては、保冷体１をそのまま用いるとして説明した。しかし、例えば、図２の（Ａ）に示すように、保冷体１が通気性を有する袋体１３に包まれた状態で用いてもよい。保冷体１を袋体１３に包むことにより、保冷体１のかけらが周囲に飛散することが軽減される。尚、便宜のため、図２の（Ａ）においては、袋体１３の一部が開いた状態を示した。袋体１３は、例えば、ナイロン、ポリエチレン、コットン、不織布、ガーゼ等、周知の布材等から構成することができる。
【００２８】
次いで、保冷体１を包装した包装物について説明する。
【００２９】
図２の（Ｂ）は、保冷体１を包装した包装物１Ａの模式的な断面図である。具体的には、上述した保冷体１を密封体１４に封入した例である。これにより、保冷体１の保管時の水の蒸発等が防止される。
【００３０】
保冷体１と、保冷体１を挟んで包むのに足りる広さのラミネートシート１５Ａ，１５Ｂを準備する。次いで、保冷体１をラミネートシート１５Ａ，１５Ｂの間に挟む。そして、ラミネートシート１５Ａ，１５Ｂの周辺部１６をホットプレス法等の周知の方法で封止する。これにより、保冷体１がラミネートシート１５Ａ，１５Ｂから成る密封体１４に封入され、包装物１Ａを得ることができる。尚、実施例１においては、密封体１４は、不透水性を有するラミネートシート１５Ａ，１５Ｂから構成したが、これに限るものではない。
【実施例２】
【００３１】
実施例２は、本発明の保冷用具に関する。
【００３２】
図３の（Ａ）に、実施例２の保冷用具２の模式的な平面図を示す。図３の（Ｂ）に、図３の（Ａ）に示すＡ−Ａ断面図を示す。
【００３３】
図３の（Ａ）及び（Ｂ）に示すように、保冷用具２は、保冷体１、及び、保冷体１が保持される装着部材２０から成る。実施例２においては、装着部材２０を、不織布２１Ａ，２１Ｂから構成した。装着部材２０は帽子内に装着される。
【００３４】
尚、実施例２の保冷体１は略四分の一円状である点が相違する他、実施例１において説明したと同様の構成であるので、詳細な説明は省略する。尚、後述する他の実施例においても保冷体は適宜好適な形状や寸法とすればよい。
【００３５】
４枚の保冷体１を挟んで包むのに足りる広さの不織布２１Ａ，２１Ｂを準備し、次いで、不織布２１Ａ，２１Ｂの周辺部２２をホットプレス法等の周知の方法で接着する。また、図３の（Ａ）に示すように、保冷体１と保冷体１との間に位置する不織布２１Ａ，２１Ｂの部分２３も接着する。次いで、不織布２１Ａ，２１Ｂで囲まれた空間２４に通ずるように、開口部（図示せず）を形成してポケット状の収納部を形成する。以上の工程により、装着部材２０を得ることができる。
【００３６】
その後、開口部から空間２４内に保冷体１を収納する。保冷体１は空間２４内に収納されて保持される。以上の工程により、保冷用具２を得ることができる。尚、実施例１において説明したように、保冷体１は袋体１３に包まれた状態で、空間２４内に収納されてもよい。
【００３７】
図３の（Ｃ）は、保冷用具２を帽子内（より具体的には、ヘルメット内）に装着した状態を説明する模式図である。具体的には、ヘルメットの殻の部分である帽体２５と内装体２６との間に、保冷用具２が装着されている。液相をなす水を含んだ保冷体１は、水の気化熱によって保冷効果を奏する。保冷体１にあっては、多くの水を含ませた状態で用いることができるので、長時間保冷効果を維持することができる。また、固相をなす水（氷）を含んだ保冷体１は、先ず、氷の融解熱による保冷効果を奏し、時間を経て氷が液化した後は、上述したと同様に水の気化熱によって保冷効果を奏する。従って、より一層長時間保冷効果を維持することができる。また、保冷体１は抗菌剤を含んでいるので、保冷体１及びその周辺に抗菌効果が及ぶ。更には、保冷体１に含まれる水の量にもよるが、帽子の内部の湿気も、保冷体１に吸収され得る。上述した各種の効果により、帽子の内部の環境を好適に保つことができる。尚、以下の実施例においても、同様の効果を得ることができる。
【実施例３】
【００３８】
実施例３も、本発明の保冷用具に関する。
【００３９】
実施例３の保冷用具３は、保冷体１、及び、保冷体１が保持される装着部材３０から成る。装着部材３０は衣服状である。図４に保冷用具３の模式図を示す。尚、図４においては、保冷体１の記載を省略した。
【００４０】
実施例３の保冷用具３は、衣服と身体の間に装着され、身体の保冷、防暑等に用いられる。
【００４１】
装着部材３０は、例えばナイロン等の合成繊維から成る布材から構成されている。装着部材３０には、ポケット状の収納部３１が多数備えられている。参照番号３２は頭部を通すための開口である。保冷体１（図示せず）は収納部３１に収納されて保持される。装着部材３０は、広く周知の縫製方法等により製造することができる。実施例３においては、収納部３１を含めた装着部材全体が布材から構成されているので、収納部３１は通気性を備えている。尚、実施例１において説明したと同様に、保冷体１は袋体１３に包まれた状態で収納部３１に収納されていてもよい。開口３２から頭部を通した後、ベルト３３を締結部３４に固定し、上半身に保冷用具３を装着する。次いで、衣服３５を着用する。
【実施例４】
【００４２】
実施例４も、本発明の保冷用具に関する。実施例４の保冷用具４は、保冷体１、及び、保冷体１が保持される装着部材４０から成る。装着部材４０は衣服状であり、より具体的には、装着部材４０自体がベスト状の衣服である。図５の（Ａ）は保冷用具４の外観の模式図、図５の（Ｂ）は保冷用具４の内側の模式図を示す。
【００４３】
装着部材４０の内側には、ポケット状の収納部４１が設けられている。略矩形の保冷体１は収納部４１に収納されて保持される。実施例３と同様に、装着部材４０は例えばナイロン等の合成繊維から成る布材から構成され、広く周知の縫製方法等により製造することができる。尚、実施例１において説明したと同様に、保冷体１は袋体１３に包まれた状態で、収納部４１に収納されてもよい。
【００４４】
図６の（Ａ）及び（Ｂ）には、保冷用具４の変形例を示す。この変形例においては、保冷体１が収納袋４２に収納される。収納袋４２には、嵌合部材として対を成すバネホックのうち一方のバネホック４４Ａが取付られている。参照番号４３は収納袋４２の開口部である。尚、嵌合部材としてバネホックの代わりに、面ファスナー等を用いることもできる。
【００４５】
図６の（Ｂ）は、図６の（Ａ）に示した収納袋４２を用いて保冷体１を装着部材４０に保持させる方法を説明するための模式図である。装着部材４０には、対を成すバネホックのうち他方のバネホック４４Ｂが取付られている。保冷体１は、収納袋４２の開口部４３から収納袋４２に収納された状態で、収納袋４２に取付られた一方のバネホック４４Ａと装着部材４０の他方のバネホック４４Ｂとが嵌合されることにより、装着部材４０に保持される。実施例１において説明したと同様に、保冷体１は袋体１３に包まれた状態で収納袋４２に収納されてもよい。尚、図面を簡素化するため、図６の（Ｂ）においては収納袋４２が１つ取り付けられるとしたが、これに限るものではない。
【実施例５】
【００４６】
実施例５も、本発明の保冷用具に関する。実施例５の保冷用具５は、保冷体１、及び、保冷体１が保持される装着部材５０から成る。装着部材５０は帯体状であり、より具体的には、装着部材５０は頭部に装着される。
【００４７】
図７の（Ａ）は、保冷用具５の一部の模式的な平面図である。図７の（Ｂ）は、図７の（Ａ）に示すＡ−Ａ断面図である。また、図７の（Ｃ）に、保冷用具５を頭部に装着した状態を模式的に図示した。尚、図７の（Ｂ）においては図面を簡素化するため、断面のハッチングを省略した。
【００４８】
装着部材５０は、伸縮性を有する帯状の布材５１Ａ，５１Ｂから構成されている。より具体的には、布材５１Ａ，５１Ｂは、ポケット状の収納部５２が形成されるように重ねて縫製されている。保冷体１は、収納部５２に収納されて保持される。実施例１において説明したと同様に、保冷体１は袋体１３に包まれた状態で収納部５２に収納されてもよい。また、実施例５においては、装着部材５０を閉じた環状としたが、これに限るものではない。
【００４９】
尚、図７の（Ｃ）に示す保冷用具５Ａは首部に装着される。保冷用具５Ａは、大きさが相違する他は実質的に保冷用具５と同様の構成を有する。保冷用具５Ａを構成する装着部材や保冷体は上述したと同様の構成であるので、説明を省略する。
【００５０】
以上、本発明を好ましい実施例に基づき説明したが、本発明はこれらの実施例に限定されるものではない。実施例において説明した保冷体、装着部材、保冷用具を構成する各種の構成要素の構成、構造、製造方法における工程は例示であり、適宜、変更することができる。
【００５１】
上述した実施例は基本的に人体に用いる形態を説明したが、これに限るものではない。例えば、本発明の保冷体をマット状とし、犬や猫等の動物用冷却マットとして用いることもできる。また、上述したように、本発明の保冷体は−５０゜Ｃ程度まで冷却しても、水が氷となる際の体積膨張によって保冷体が変形したり破損したりすることはなかった。従って、充分冷却された保冷体をドライアイスの代替としても使用することもできる。例えば、充分冷却された保冷体を棺の下敷等として用いることもできる。
【図面の簡単な説明】
【００５２】
【図１】図１の（Ａ）〜（Ｄ）は、保冷体の製造方法を説明するための模式的な工程図である。
【図２】図２の（Ａ）は、保冷体が通気性を有する袋体に包まれた状態を説明するための模式的な斜視図である。図２の（Ｂ）は、保冷体の包装体の模式的な断面図である。
【図３】図３の（Ａ）は、保冷用具の模式的な平面図である。図３の（Ｂ）は、図３の（Ａ）に示すＡ−Ａ断面図である。図３の（Ｃ）は、保冷用具を帽子内に装着した状態を説明する模式図である。
【図４】図４は、保冷用具の模式図である。
【図５】図５の（Ａ）は、保冷用具４の外観の模式図である。図５の（Ｂ）は、保冷用具４の内側の模式図である。
【図６】図６の（Ａ）は、保冷体が収納される収納袋の模式図である。図６の（Ｂ）は、図６の（Ａ）に示した収納袋を用いて保冷体を装着部材に保持させる方法を説明するための模式図である。
【図７】図７の（Ａ）は、保冷用具の一部の模式的な平面図である。図７の（Ｂ）は、図７の（Ａ）に示すＡ−Ａ断面図である。図７の（Ｃ）は、保冷用具を頭部に装着した状態、首部に装着した状態を説明した模式図である。
【符号の説明】
【００５３】
１・・・保冷体、１Ａ・・・包装物、２・・・保冷用具、３・・・保冷用具、４・・・保冷用具、５・・・保冷用具、５Ａ・・・保冷用具、１０・・・水溶液、１１・・・槽、１２・・・冷凍庫、１３・・・袋体、１４・・・密封体、１５Ａ，１５Ｂ・・・ラミネートシート、１６・・・周辺部、２０・・・装着部材、２１Ａ，２１Ｂ・・・不織布、２２・・・周辺部、２３・・・保冷体と保冷体との間に位置する不織布の部分、２４・・・空間、２５・・・帽体、２６・・・内装体、３０・・・装着部材、３１・・・収納部、３２・・・開口、３３・・・ベルト、３４・・・締結部、３５・・・衣服、４０・・・装着部材、４１・・・収納部、４２・・・収納袋、４３・・・開口部、４４Ａ・・・一方のバネホック、４４Ｂ・・・他方のバネホック、５０・・・装着部材、５１Ａ，５１Ｂ・・・布材、５２・・・収納部
【図１】
2008302050.tif 000003
【図２】
2008302050.tif 000004
【図３】
2008302050.tif 000005
【図４】
2008302050.tif 000006
【図５】
2008302050.tif 000007
【図６】
2008302050.tif 000008
【図７】
2008302050.tif 000009